(57)【要約】【課題】チューブの開放操作を片手で容易に行うことができ、しかも、チューブ先端の固定作業も容易に行うことが可能な医療用チューブのクランプ部材を提供する。【解決手段】医療用チューブ３０の先端部分が挿入されて該チューブ３０を固定するための固定管１と、固定管１に挿入されるチューブ３０をクランプするための固定アーム３と可動アーム５とからなり、固定アーム３と可動アーム５とは、その一方側端部においてヒンジバンド７により互いに旋回可能かつ互いに上下可動に設けられており、これらアーム３，５の他方側端部には、それぞれ、互いに係合可能な爪１０，１１が設けられており、固定アーム３のヒンジバンド７近傍部分は固定管１のチューブ３０が挿入される側に一体に連なっていることを特徴とする。【選択図】  図１
2015073673.tif 000002
【特許請求の範囲】
【請求項１】
医療用チューブの先端部分が挿入されて該チューブを固定するための固定管と、該固定管に挿入されるチューブをクランプするための固定アームと可動アームとからなり、
前記固定アームと可動アームとは、その一方側端部においてヒンジバンドにより互いに旋回可能かつ互いに上下可動に設けられており、これらアームの他方側端部には、それぞれ、互いに係合可能な爪が設けられており、
前記固定アームのヒンジバンド近傍部分は前記固定管の前記チューブが挿入される側に一体に連なっていることを特徴とする医療用チューブのクランプ部材。
【請求項２】
前記ヒンジバンドを支点として前記可動アームを該固定アーム側に旋回して、前記固定管に挿入されるチューブをクランプしたとき、前記可動アームの爪は、前記固定アームの爪を乗り越えて、前記固定アームの爪と係合し、前記チューブをクランプしている状態において、前記可動アームの先端を下方にずらすことにより、前記可動アームの爪と固定アームとの爪の係合が解除される請求項１に記載の医療用チューブのクランプ部材。
【請求項３】
前記可動アームのヒンジバンド近傍部分には、前記固定アームと対面する側の面に凹部が形成されており、クランプされたチューブは、該凹部内に保持される請求項１または２に記載の医療用チューブのクランプ部材。
【請求項４】
排尿バッグに設けられている排出チューブのクランプに使用される請求項１〜３のいずれかに記載の医療用チューブのクランプ部材。
【発明の詳細な説明】
【技術分野】
【０００１】
本発明は、医療用チューブ、例えば排尿バッグに連結されている排出チューブなどに使用されるクランプ部材に関する。
【背景技術】
【０００２】
人体に薬液などを供給する医療用バッグや人体から排出される体液を溜める排尿バッグなどには、バッグ内に液を供給するため或はバッグ内から液を排出するための各種のチューブが接続される。このようなチューブには、これを一時的に閉じるためのクランプ部材が使用される場合がある。
【０００３】
上記のようなクランプ部材は、簡単な操作でチューブを閉じることができ、チューブの使用時にはクランプ部材による閉止が容易に開放されるものでなければならない。例えば、特許文献１乃至３には、この種のチューブクランプが提案されている。
【先行技術文献】
【特許文献】
【０００４】
【特許文献１】特許第３２２３４８９号
【特許文献２】実開昭６１−１６１４７７号公報
【特許文献３】実開平５−３８２３号公報
【発明の概要】
【発明が解決しようとする課題】
【０００５】
ところで、上述した特許文献で提案されているチューブクランプのみならず、現在医療用に使用されているクランプ部材は、排尿バッグなどから液を排出する際に使用するチューブには非常に使用しにくいという問題がある。
即ち、排尿バッグに溜められた尿を廃棄する際には、このバッグに連結されている排出チューブを閉じているクランプ部材を両手で操作して開放しなければならず、このため、開放直後の該チューブの先端部分から尿が排出されてしまい、手などを汚してしまうという不都合を生じる。
また、片手でクランプ部材を開放できたとしても、排尿バッグに連結され且つクランプ部材によって閉じられている該チューブの先端部分はフリーの状態にあり、これを固定しづらいという問題もある。
【０００６】
従って、本発明の目的はチューブの開放操作を片手で容易に行うことができ、しかも、チューブ先端の固定作業も容易に行うことが可能な医療用チューブのクランプ部材を提供することにある。
【課題を解決するための手段】
【０００７】
本発明によれば、医療用チューブの先端部分が挿入されて該チューブを固定するための固定管と、該固定管に挿入されるチューブをクランプするための固定アームと可動アームとからなり、
前記固定アームと可動アームとは、その一方側端部においてヒンジバンドにより互いに旋回可能かつ互いに上下可動に設けられており、これらアームの他方側端部には、それぞれ、互いに係合可能な爪が設けられており、
前記固定アームのヒンジバンド近傍部分は前記固定管の前記チューブが挿入される側に一体に連なっていることを特徴とする医療用チューブのクランプ部材が提供される。
【０００８】
本発明のクランプ部材においては、
（１）前記ヒンジバンドを支点として前記可動アームを該固定アーム側に旋回して、前記固定管に挿入されるチューブをクランプしたとき、前記可動アームの爪は、前記固定アームの爪を乗り越えて、前記固定アームの爪と係合し、前記チューブをクランプしている状態において、前記可動アームの先端を下方にずらすことにより、前記可動アームの爪と固定アームとの爪の係合が解除されること、
（２）前記可動アームのヒンジバンド近傍部分には、前記固定アームと対面する側の面に凹部が形成されており、クランプされたチューブは、該凹部内に保持されること、
が好ましい。
【発明の効果】
【０００９】
本発明のクランプ部材においては、固定管に接続された医療用チューブを固定アームと可動アームとにより挟んで、これらのアームの先端部分に設けられている爪を互いに係合することにより、該チューブをしっかりと閉じることができ、これにより該チューブからの液漏れは確実に防止される。
一方、この医療用チューブを閉じているクランプ部材においては、可動アームを下方に押し下げることにより、前記爪の係合を解除することができる。爪の係合が解除されると、潰された形状のチューブは、その弾性力により元の形態に復帰する。この復帰により可動アームと固定アームとの間が押し広げられ、かくしてチューブが開放されることとなる。
即ち、本発明によれば、可動アームを押し下げるという片手でも容易に行い得る操作のみで自動的に閉じられたチューブを開放することができる。
【００１０】
また、本発明においては、クランプされる医療用チューブの先端には、固定管が接続される。この固定管の接続により医療用チューブの先端位置が安定となり、これを嵌め込み等により所定の固定具にしっかりと且つ容易に固定することができる。
【００１１】
このような本発明のクランプ部材は、チューブを安定に位置決めすることができるばかりか、その開閉操作（特に、開放操作）を片手で行うことができるため、特に排尿バッグに接続された排出用チューブのクランプ部材として極めて有用である。
【図面の簡単な説明】
【００１２】
【図１】本発明のクランプ部材をクランプされる医療用チューブと共に示す斜視図。
【図２】図１のクランプ部材の上面図。
【図３】図１のクランプ部材の下面図。
【図４】図１のクランプ部材の右側面図。
【図５】図１のクランプ部材の正面図。
【図６】図１のクランプ部材の正面断面図（図２のＡ−Ａ断面図）。
【図７】チューブが挿入された状態の固定管の断面図。
【図８】図１のクランプ部材に設けられている固定アームに形成されている第１の爪が形成されている部分を、可動アームに形成されている第２の爪が形成されている部分と共に示す部分拡大側面図。
【図９】可動アームが閉じられ、チューブがクランプされた状態のクランプ部材の右側面図。
【図１０】可動アームが閉じられ、チューブがクランプされた状態のクランプ部材の下面図。
【図１１】クランプを開放するときの第１の爪と第２の爪の係合状態の変化を示す部分拡大図。
【発明を実施するための形態】
【００１３】
図１〜図７を参照して、全体として２０で示されている本発明のクランプ部材は、固定管１と、固定アーム３と、可動アーム５とからなっている。固定アーム３と可動アーム５とはヒンジバンド７により互いに旋回可能（開閉可能）に連結されている。
【００１４】
固定管１は、中空筒状の形状をしており、ゴム等の弾性材料からなる医療用チューブ３０が下端から挿入される。図６及び図７の断面図から明らかなとおり、固定管１の上端部分にはインナーリング１ａが設けられており、チューブ３０は下方から固定管１内に挿入され、下方から挿入されたチューブ３０の先端はインナーリング１ａによって脱落しないようにしっかりと保持される。
尚、この医療用チューブ３０は、例えば排尿バッグなどに連結されており、このようなバッグ内に収容された尿などの液を、このチューブ３０を通して排出するようになっている。
【００１５】
固定アーム３は、図１等から理解されるように、側端部がヒンジバンド７により可動アーム５の側端部と接続されており、ヒンジバンド７の近傍部分において、固定管１の下端に一体に連なっており、固定筒１の中心軸に対して垂直方向に延びている。具体的には、固定管１の外面から延びている連結用リブ９により、固定管１と固定アーム３とは、しっかりと一体化されている。
また、本発明のクランプ部材２０においては、固定管１の下端近傍部分において固定管１に差し込まれたチューブ３０が固定アーム３と可動アーム５によりクランプされ、閉じられることが図１から理解されよう。
【００１６】
さらに、図１と共に、図８の部分拡大側面図、チューブ３０がクランプされた状態を示す図９及び図１０を併せて、固定アーム３の他方側端部（先端部分）には、第１の爪１０が設けられており、更に可動アーム５の他方側端部（先端部分）には、第２の爪１１が設けられている。即ち、固定管１に挿入されているチューブ３０を挟むようにして可動アーム５を旋回して閉じ、第１の爪１０と第２の爪１１とを係合させることにより、チューブ３０をしっかりとクランプすることができ、これにより、チューブ３０は閉じられ、液の流通が完全に阻止されることとなる。
【００１７】
特に図１及び図８に示されているように、固定アーム３の先端部には、その上面を残すように、可動アーム５と対面する部分が切欠かれており（この切り欠き部を１３で示す）、これにより、可動アーム５に対面するように且つ鉛直方向に延びている側面３ａが形成されている。このような切り欠き部１３が形成されている部分の固定アーム３の上面に第１の爪１０が連なっている。
この第１の爪１０は、固定アーム３の上面から可動アーム５側に延びている水平基部１０ａと、水平基部１０ａの先端から下方に延びている下方突起１０ｂを有している。また、下方突起１０ｂの可動アーム５側に位置する面には、上方から下方かつ側面３ａ側に傾斜して延びている傾斜面１０ｃが形成されており、更に下方突起１０ｂの下端には側面３ａ側に突出している突部１０ｄが形成されている。
【００１８】
一方、可動アーム５の先端部には、その下面を残すように固定アーム３と対面する部分が切欠かれており（この切り欠き部を１５で示す）、これにより、固定アーム３に対面するように且つ鉛直方向に延びている側面５ａが形成されている。このような切り欠き部１５が形成されている部分の可動アーム５の下面に第２の爪１１が連なっている。
第２の爪１１は、可動アーム５の下面から固定アーム３側に延びている水平基部１１ａと、水平基部１１ａの先端から上方に延びている上方突起１１ｂを有している。また、上方突起１１ｂの固定アーム５側に位置する面には、下方から上方かつ側面５ａ側に傾斜して延びている傾斜面１１ｃが形成されており、更に上方突起１１ｂの上端には側面５ａ側に突出している突部１１ｄが形成されている。
【００１９】
即ち、図８の部分拡大側面図から理解されるように、可動アーム５を閉じていくと、始めに可動アーム５の第２の爪１１の傾斜面１１ｃと固定アーム３の第１の爪１０の傾斜面１０ｃとが面接する。このとき、ヒンジバンド７は比較的緩く、その上下可動幅が比較的大きく取られており、固定アーム３と可動アーム５とは互いに上下に可動となっている。従って、そのまま、可動アーム５を閉じていくと（図８において、矢印方向に移動させる）、第２の爪１１の傾斜面１１ｃは、第１の爪１０の傾斜面１０ｃに沿って降下していき、この結果、第２の爪１１は第１の爪１０を乗り越え、第１の爪１０と側面３ａとの間の空間に入り込み、ヒンジバンド７の弾性力も作用して、第１の爪１０の裏側に回り込む。このような位置に第２の爪１１が位置すると、図９及び図１０に示されているように、可動アーム５と固定アーム３との間に挟み込まれて潰れたチューブ３０の弾性力によって、第２の爪１１は、第１の爪１０側に押し付けられ、この結果、第２の爪１１の突部１１ｄと第１の爪１０の突部１０ｄとががっちり噛み合い、第１の爪１０と第２の爪１１との係合状態がしっかりとロックされることとなる。
これにより、チューブ３０はしっかりとクランプされ、チューブ３０内での液の流れが完全に遮断される。
【００２０】
上記のようにしてチューブ３０がクランプされるわけであるが、本発明においては、このようなクランプの解除を片手で容易に行うことができる。
即ち、図９の状態で互いに係合している固定アーム３と可動アーム５との先端部分を握りしめると、図１１（ａ）に示されているように、第２の爪１１は、固定アーム３に形成されている切り欠き部１３（第１の爪１０が形成されている部分）の側面３ａ側に移動し、第１の爪１０と第２の爪１１との係合（突部１０ｄと突部１１ｄとの噛み合い）が解除される。この状態で、固定アーム３の先端部と可動アーム５の先端部とを、これを握っている片手で上下にずらすと、図１１（ｂ）に示されているように、可動アーム５は完全にフリーの状態となり、クランプされて潰れているチューブ３０の弾性力によって開いた状態となり、チューブ３０は、潰された形態から原形に復帰し、チューブ３０内を液が流通し得るようになる。
【００２１】
このように、本発明のクランプ部材２０によれば、片手でチューブ３０をクランプすることができるばかりか、しっかりと安定にクランプされた状態を、片手で容易に開放することができ、これは本発明の大きな利点である。
【００２２】
また、上記のクランプ部材２０を用いてチューブ３０をクランプする場合、チューブ３０の先端は、固定管１内に挿入されて固定される。このため、チューブ３０の先端部分の位置決め作業などを行い易いという利点がある。即ち、チューブ３０の先端がむき出しの場合は、これがゴム等の弾性材料で形成されているため、その先端がフラフラと動きやすく、しかも手で握った時に変形し易く、例えば嵌め込み等により、所定の場所に取り付ける作業を行い難い。しかるに、本発明においては、チューブ３０の先端部に固定管１が取り付けられているため、チューブ３０の先端部の動きが制限され、且つ握りやすく、しかも変形も生ぜず、位置決め作業を至って容易に行うことができる。例えばバッグの表面等に、固定管１が嵌め込まれるような固定具を取り付けておけば、この固定具に固定管１を嵌め込んで容易に位置固定することができる。
【００２３】
上述した本発明のクランプ部材２０においては、特に図１に明瞭に示されているように、可動アーム５の内面（固定アーム３側の面）であって、ヒンジバンド７の近傍部分、即ち、チューブ３０をクランプする部分に、凹部１７を設けておくことが好ましい。即ち、このような凹部１７を設けておくことにより、可動アーム５を閉じてチューブ３０をクランプするとき、クランプされるチューブ３０の位置ずれや過度な変形等を有効に防止することができるばかりか、クランプされて潰れた形状のチューブ３０が凹部１７内に保持されることとなり、この結果、凹部１７を除く部分において、可動アーム５と固定アーム３とを隙間なくぴったりと密着させることができる。
勿論、このような凹部１７は、固定アーム３側に設けることも可能であるが、クランプしていくときのチューブ３０の位置ずれや過度な変形を防止するという観点からは、可動アーム５側に凹部１７を設けるほうが好適である。
尚、上記の凹部１７は、ヒンジバンド７側が深く、先端部側が浅く形成されていることが望ましい。即ち、可動アーム５を閉じてチューブ３０をクランプしていく場合、固定アーム３と可動アーム５との間隔は、ヒンジバンド７側が狭く、先端部側が広くなっている。このため、チューブ３０の圧縮量は、ヒンジバンド７側が先端部側よりもかなり大きくなっている。このため、チューブ３０は異常な形でクランプされて保持されることとなりやすく、チューブ３０の破損などを生じ易い。しかるに、上記のように凹部１７の深さをヒンジバンド７側を深く且つ先端部側を浅く形成しておくことにより、チューブ３０を全体として均一に圧縮でき、異常な形でチューブを保持するという不都合を有効に回避することができる。
【００２４】
さらに、本発明においては、固定アーム３の先端部の可動アーム５とは反対側のコーナー部３ｂ、３ｃ及び可動アーム５の先端部の固定アーム３とは反対側のコーナー部５ｂ、５ｃは、面取りされていることが好ましい。即ち、このように面取りしておくことにより、これらアーム３，５の先端部を握ってのクランプ作業やクランプ開放作業を行う際、片手で強く握った場合にも手を痛めることがない。
【００２５】
上述した本発明のクランプ部材は、種々の熱可塑性樹脂を用い、射出成形等の一体成形により成形されるが、特にヒンジバンド７の耐久性等の観点から、オレフィン系樹脂、例えば、低密度ポリエチレン、線状低密度ポリエチレン、中密度ポリエチレン、高密度ポリエチレン、ポリプロピレンなどの各種オレフィンの重合体、プロピレン−エチレン共重合体などの各種オレフィン同士の共重合体、エチレン−酢酸ビニル共重合体、エチレン系不飽和カルボン酸乃至その無水物でグラフト変性されたオレフィン樹脂等の変性オレフィン系共重合体、及びこれらのブレンド物などを用いて成形されることが好ましく、ポリプロピレンが最適である。
【００２６】
本発明のクランプ部材は、片手でクランプの開放作業を行うことができることから、医療用チューブの中でも特に開放時の液による汚れの防止が強く望まれている排尿バッグの排出チューブのクランプに特に有用である。
【符号の説明】
【００２７】
１：固定管
３：固定アーム
５：可動アーム
７：ヒンジバンド
１０：第１の爪
１１：第２の爪
１３、１５：切り欠き部
１７：凹部
２０：クランプ部材
３０：チューブ
【図１】
2015073673.tif 000003
【図２】
2015073673.tif 000004
【図３】
2015073673.tif 000005
【図４】
2015073673.tif 000006
【図５】
2015073673.tif 000007
【図６】
2015073673.tif 000008
【図７】
2015073673.tif 000009
【図８】
2015073673.tif 000010
【図９】
2015073673.tif 000011
【図１０】
2015073673.tif 000012
【図１１】
2015073673.tif 000013